(57)【要約】本発明は、ディスク（２）上でデータを読み取る及び／又は書き込むピックアップユニット（１）に係る。ピックアップユニットは、ベース部（５）、ベース部（５）から懸架され且つレンズ（３）の少なくとも集束方向において可動であるレンズホルダ（４）におけるレンズ（３）、プルバック装置（９）、及び／又はロッキング装置（１２，１２’）を有する。プルバック装置（９）は及びロッキング装置（１２，１２’）は、レンズ（ホルダ）とディスクとの間の衝突を避けるよう、レンズホルダ上で作用するよう適合される。プルバック装置（９）は、レンズホルダ（４）をディスクから離れた不作動位置へと引くよう適合され、ロッキング装置（１２，１２’）は、続いてレンズホルダを不作動位置においてロックするよう適合される。このようにして、ピックアップユニット上に与えられる強い外的機械力又はパルスによる衝突は、効果的に避けられ得る。
2007512644.tif 000002
【特許請求の範囲】
【請求項１】
ディスク上でデータを読み取る及び／又は書き込むピックアップユニットであって、
レンズホルダにおけるレンズと、ベース部と、前記ベース部から前記レンズホルダを懸架するサスペンションと、少なくとも前記ディスク上でのデータの読取り中及び／又は書込み中に不作動位置へと前記レンズホルダを動かすプルバック装置と、を有し、
前記サスペンションは、前記レンズを前記レンズホルダと前記ベース部との間で作用する集束アクチュエータの作用のもとで前記レンズの少なくとも集束方向において前記ベースに対して動かし得、
前記プルバック装置は、前記ベース部上に与えられた少なくとも第１のプルバック部材と、前記レンズホルダ上で形成された少なくとも第２のプルバック部材と、前記第２のプルバック部材と接触し且つ前記不作動位置へと前記レンズホルダを動かすよう前記第１のプルバック部材に作用するよう適合されたプルバックアクチュエータと、を有する、
ピックアップユニット。
【請求項２】
前記第２のプルバック部材は、前記レンズの前記集束方向に対して略垂直である方向において前記レンズホルダ上で形成された咬合面であり、
前記第１のプルバック部材は、一端でフック部を有する細長い部材であり、
前記第１のプルバック部材は、前記レンズの前記集束方向に対して略平行である方向において前記ベース部を介して可動であり、前記フック部が前記咬合面を咬合させ前記第２のプルバック部材を形成すること、及び前記レンズホルダを前記不作動位置へと動かすことが出来るようにする、
請求項１記載のピックアップユニット。
【請求項３】
前記プルバックアクチュエータが動作を停止される際、前記第２のプルバック部材と接触せずにいるよう前記第１のプルバック部材に作用するよう適合された復帰部材を有する、
請求項１又は２記載のピックアップユニット。
【請求項４】
前記プルバックアクチュエータは、前記ベース部に対して取り付けられ、前記プルバック部材に対して動作可能なように接続される、ソレノイドである、
請求項１乃至３のうちいずれか一項記載のピックアップユニット。
【請求項５】
前記レンズホルダの少なくとも前記不作動位置において前記ベース部に対して前記レンズホルダをロックするロッキング装置を更に有し、
前記ロッキング装置は、前記ベース部に対して可動に接続され、前記集束方向に対して略平行である方向において可動である少なくとも第１のロッキング部材と、前記レンズホルダ上に形成された少なくとも第２のロッキング部材と、前記第１のロッキング部材を前記第２のロッキング部材と咬合させるよう前記第１のロッキング部材上に作用するよう適合されたロッキングアクチュエータと、を有する、
請求項１乃至４のうちいずれか一項記載のピックアップユニット。
【請求項６】
前記第２のロッキング部材は、少なくとも部分的に前記レンズの前記集束方向に対して略垂直である方向において前記レンズホルダ上に形成されたロッキング面であり、
前記第１のロッキング部材は、前記レンズの前記集束方向に対して略垂直である方向において前記ベース部を介して可動である細長い部材であり、前記第１のロック部材が前記ロッキング面を咬合させ前記第２のロッキング部材を形成すること、及び前記不作動位置において前記レンズホルダをロックできるようにする、
請求項５記載のピックアップユニット。
【請求項７】
前記ロッキング装置は、前記第１及び前記第２のロッキング部材の咬合を固定するよう適合された固定部材を備えられる、
請求項５又は６記載のピックアップユニット。
【請求項８】
前記ロッキングアクチュエータは、前記ベース部に対して取り付けられ、前記第１のロッキング部材に対して動作可能に接続されたソレノイド又はリニアモータである、
請求項５乃至７のうちいずれか一項記載のピックアップユニット。
【請求項９】
ディスク上でデータを読み取る及び／又は書き込むピックアップユニットであって、
レンズホルダにおけるレンズと、ベース部と、前記ベース部から前記レンズホルダを懸架するサスペンションと、前記レンズホルダの少なくとも不作動位置において前記ベース部に対して前記レンズホルダをロックするロッキング装置と、を有し、
前記サスペンションは、前記レンズを前記レンズホルダと前記ベース部との間で作用する集束アクチュエータの作用のもとで前記レンズの少なくとも集束方向において前記ベースに対して動かし得、
前記ロッキング装置は、前記ベース部に接続され、前記集束方向に対して略垂直である方向に置いて可動である少なくとも第１のロッキング部材と、前記レンズホルダ上に形成された少なくとも第２のロッキング部材と、前記第１のロッキング部材を前記第２のロッキング部材との咬合へと動かすよう前記第１のロッキング部材に作用するよう適合されたロッキングアクチュエータと、を有する、
ピックアップユニット。
【請求項１０】
前記第２のロッキング部材は、少なくとも部分的に前記レンズの前記集束方向に対して略垂直である方向において前記レンズホルダ上で形成されたロッキング面であり、
前記第１のロッキング部材は、前記レンズの前記集束方向に対して略垂直である方向において前記ベース部を介して可動である細長い部材であって、前記第１のロッキング部材が、前記ロッキング部面を咬合させ前記第２のロッキング部材を形成すること、及び前記不作動位置において前記レンズホルダをロックできるようにする、
請求項９記載のピックアップユニット。
【請求項１１】
前記ロッキング装置は、前記第１及び第２のロッキング部材の咬合を固定するよう適合された固定部材を備えられる、
請求項９又は１０記載のピックアップユニット。
【請求項１２】
前記ロッキングアクチュエータは、前記ベースに対して取り付けられ、前記第１のロッキング部材に対して動作可能に接続されるソレノイド又はリニアモータである、
請求項９乃至１１のうちいずれか一項記載のピックアップユニット。
【請求項１３】
前記ディスク上のデータの読取り及び／又は書込み中に不作動位置へと前記レンズホルダを動かすプルバック装置を更に有し、
前記プルバック装置は、前記ベース部上に形成された少なくとも第１のプルバック部材と、前記レンズホルダ上に与えられた少なくとも第２のプルバック部材と、前記第２のプルバック部材と接触するよう、及び、前記不作動位置へと前記レンズホルダを動かすよう、前記第１のプルバック部材に作用するよう適合されたプルバックアクチュエータと、を有する、
請求項９乃至１２のうちいずれか一項記載のピックアップユニット。
【請求項１４】
前記第２のプルバック部材は、前記レンズの前記集束方向に対して略垂直である方向において前記レンズホルダ上に形成された咬合面であり、
前記第１のプルバック部材は、一端でフック部を有する細長い部材であり、
前記第１のプルバック部材は、前記レンズの前記集束方向に対して略平行である方向に置いて前記ベース部を介して可動であり、前記フック部が前記咬合面を咬合して前記第２のプルバック部材を形成すること、及び前記不作動位置へと前記レンズホルダを動かすことが出来るようにする、
請求項１３記載のピックアップユニット。
【請求項１５】
前記プルバックアクチュエータが動作を停止される際、前記第２のプルバック部材と接触せずにいるよう前記第１のプルバック部材に作用するよう適合された復帰部材を有する、
請求項１３又は１４記載のピックアップユニット。
【請求項１６】
前記プルバックアクチュエータは、前記ベースに対して取り付けられ、前記第１のプルバック部材に対して動作可能に接続されたソレノイドである、
請求項１３乃至１５のうちいずれか一項記載のピックアップユニット。
【請求項１７】
請求項１乃至１６のうちいずれか一項記載のピックアップユニットを備えられたディスクドライブユニットであって、
前記プルバックアクチュエータに対して接続された制御回路を更に有し、
衝撃等のプルバックの状態を、前記衝撃を直接検出すること、あるいは前記衝撃の結果前記ディスク上でのデータの読取り及び／又は書込みにおける障害を検出することのいずれかによって検出するよう適合されたセンサを有し、
前記制御回路は、前記プルバックアクチュエータに対して起動信号を与える、
ディスクドライブユニット。
【請求項１８】
前記ロッキングアクチュエータに対して、及び、前記集束アクチュエータ及び／又は前記プルバックアクチュエータに対して接続された制御回路を更に有し、
前記制御回路は、前記レンズホルダを前記不作動位置へと、又は前記不作動位置を越えて動かすよう前記集束アクチュエータ又は前記プルバックアクチュエータに対して起動信号を与えるよう、並びに、前記第２のロッキング部材と咬合させるよう前記第１のロッキング部材を前記レンズホルダに向かって動かすよう前記ロッキングアクチュエータに起動信号を与えるよう、適合される、
請求項１乃至１７のうちいずれか一項記載のピックアップユニットを備えられたディスクドライブユニット。
【請求項１９】
前記制御回路は、前記第１のロッキング部材を前記第２のロッキング部材と咬合しないよう動かすよう、前記ロッキングアクチュエータに対して起動信号を与えるよう適合される、
請求項１８記載のディスクドライブ。
【発明の詳細な説明】
【技術分野】
【０００１】
本発明は、ディスク上でデータを読み取る及び／又は書き込むピックアップユニットに係る。
【背景技術】
【０００２】
この種類のピックアップユニットは、多くの実施例において既知であり、レンズホルダにおけるレンズ、ベース部、及びベース部からレンズホルダを懸架するサスペンションを一般的に有し、該サスペンションは、集束アクチュエータの作用のもとで少なくともレンズの集束方向においてレンズホルダがベース部に対して動かされ得るようにする。ディスク上でデータを読み取るよう及び／又は書き込むよう、ディスクが回転される間、レンズはディスクの面に沿って動かされる。ＤＶＤ等の増大したデータ容量を有するディスクの開発によって、レンズとディスクの面との動作距離が非常に小さいことをますます必要となり、例えばベース部に対するレンズホルダのストロークより小さい。小さい動作距離は、特には、ピックアップユニットが与えられたディスクドライブユニットを振動させる又は落とすこと等によって強い外的機械力又はパルスがピックアップユニットに与えられる際に、レンズ（ホルダ）とディスクとの間で所望されない衝突の危険性に繋がる。ディスクとレンズ（ホルダ）との間の衝突は、ディスクの面に対する深刻な損傷に繋がり得るため、避けられる必要がある。従来技術では、レンズの集束方向において見られる通り、レンズ（ホルダ）を可能な限りディスクから離れた不作動位置に可能な限り維持することによって、レンズ（ホルダ）とディスクとの間の衝突の危険性を低減する、多種のピックアップユニットが既知である。
【０００３】
米国特許第２００２／００７５７７３号明細書（特許文献１）は、上述された種類のピックアップユニットを開示し、該文献中、レンズホルダは、停止ブレーキを備えられる。この停止ブレーキは、ピックアップユニットのベース部に与えられた傾斜に対してクランプ締めされるよう適合された一組のトングを形成する２つの弾力的に変形可能であるクランプを有する。クランプ及び傾斜は、レンズホルダの不作動位置においてのみ咬合するよう位置付けられる。このようにして、レンズホルダは、データが読み取られない／書き込まれない際に不作動位置においてロックされ得る。傾斜に対してクランプ締めされる際、クランプは、ランプの楔形の上部にわたって押さえられ、その後ランプの中央におけるネック部上に合わされ、クランプは、レンズの集束方向に対して垂直である方向に置いて屈曲する。しかしながら、クランプを咬合及び解放する力は、比較的弱い起動力を運ぶようにのみ適合された集束アクチュエータによって運ばれるため、停止ブレーキによってもたらされる停止力もまた制限され、強い外的機械力又はパルスがピックアップユニットに対して適用される際に解放の危険性がある。
【０００４】
特開２００２−２５１７５８号広報（特許文献２）はまた、本発明において説明されるピックアップユニットを開示する。該文献中、レンズホルダは、ベース部に対して取り付けられた電磁石によってひきつけられ得る磁性体を更に備えられる。このようにして、レンズホルダは、集束アクチュエータによって不作動位置に動かされた後、該位置において停止され得る。しかしながら、比較的重い磁性体は、懸架されたレンズホルダの動的性質を深刻に低下させる。
【特許文献１】米国特許第２００２／００７５７７３号明細書
【特許文献２】特開２００２−２５１７５８号広報
【発明の開示】
【発明が解決しようとする課題】
【０００５】
本発明は、ディスク上でデータを読み取る及び／又は書き込むピックアップユニット与えることを目的とし、該ピックアップユニットは、強い外的機械力又はパルスを受けた際に、レンズ（ホルダ）とディスクとの間の衝突を避ける改善された性質を有する。
【課題を解決するための手段】
【０００６】
本発明の第１の面によれば、本発明に従ったピックアップユニットは、請求項１記載の特性を有する。
【０００７】
請求項１に従ったピックアップユニットにおいては、レンズホルダは、ピックアップユニットのベース部から作用する専用のプルバックアクチュエータによって駆動されるプルバックは位置を用いて、不作動位置へと引き寄せられる。このようにして、プルバックアクチュエータは、有利に寸法を取られ得、強い外的機械力又はパルスがピックアップユニット上に与えられる際でもレンズホルダをその不作動位置へと引き寄せるよう十分強力且つ迅速である。この特性は、ディスク上でのデータの読取り及び／又は書込み中のレンズホルダとディスクとの間での衝突の防止において特に有用である。
【０００８】
本発明の第２の面によれば、本発明に従ったピックアップユニットは、請求項９記載の特性を有する。
【０００９】
請求項９に従ったピックアップユニットにおいては、レンズホルダは、専用のロッキングアクチュエータによって駆動されるロッキング組立体を用いて、不作動位置においてロックされる。このようにして、レンズホルダは、その不作動位置にある際に、ベース部に対して強く固定され、ピックアップユニットに与えられる強い外的機械力又はパルスは、レンズホルダをその不作動位置から離すことはできない。この特性は、データがディスク上で読み取られていない及び／又は書き込まれていない際、あるいは、ピックアップユニットのスイッチが入れられていない際、２つの読取り及び／又は書込みバーストの間等のレンズホルダとディスクとの間での衝突の防止において特に有用である。
【００１０】
請求項２乃至１０に記載される特性により、懸架されたレンズホルダの増す及び動的性質は、咬合面がレンズホルダにおけるスロット又は凹部を用いて単純に形成され得るため、咬合面の存在には殆ど影響されない。
【００１１】
本発明はまた、本発明に従ったピックアップユニットを備えられたディスクドライブに係る。
【発明を実施するための最良の形態】
【００１２】
本発明のこれらの及び他の面及び有利点は、図面を参照した以下の説明より明らかとなる。
【００１３】
図中示される２つの望ましい実施例の対応する部分は、同一の参照符号を与えられる。
【００１４】
図面は、本発明に従ったピックアップユニットの実施例を図示する。ピックアップユニット１は、コンパクトディスクプレーヤ等のディスク上でデータを読み取る装置及び／又は書き込む装置において使用され得、光学及び／又は磁気の読取り部材及び／又は書込み部材を用いて音響用及び／又は映像用のコンパクトディスクを読み取るよう及び／又は書き込むよう適合される。ディスクは、図示されていない電気ドライブユニットを用いて回転軸の周囲に回転可能である。
【００１５】
データは、上述のディスクドライブユニットにおける使用に対してディスク２の１つ又はそれ以上の層においてコード化される。多種の原理が既知であり、各変形は本発明と併せた使用に対して適切である。データは、デジタル形式で１つ又はそれ以上のデータトラックにおいて記入される。データトラックに沿った（光学的）性質の変化は、ディスク２上に記録されたデータを有する。ディスク２上でデータを読み取るよう及び／又は書き込むよう、ディスク２は、ディスクドライブモータ（図示せず）を用いて回転される。ディスク２は、ピックアップユニット１によるデータトラックに沿った（光学的）性質の変化の検出によって読み取られ及び／又は書き込まれる。図１中に図示された実施例においては、変化は、ピックアップユニット１から発され且つ反射し戻ったレーザ光を用いて検出される。
【００１６】
図１を参照すると、ピックアップユニット１の第１の実施例は、レンズホルダ４に対して取り付けられたレンズ３を有し、レンズホルダ４は、ピックアップユニット１のベース部５内に位置付けられる。レンズホルダ４は、弾性のサスペンション（従来技術より既知）を用いてベース５から懸架される。該サスペンションによって、レンズホルダ４は、少なくともレンズ３の集束方向においてベース部５に対して僅かに動かされ得る。レンズホルダ４は、レンズホルダ４とベース部５との間で作用する集束アクチュエータ（図示せず）の作用のもとでベース５に対して動かされる。レンズホルダ４上に力が与えられていない際は、レンズホルダ４は図１中に図示される静止位置にある。集束アクチュエータは、ベース部に対して接続された複数の永久磁石、及びレンズホルダ４に与えられた複数のコイルを有し得、コイル及び永久磁石は、コイルを介して電流を用いてレンズホルダ４に力を及ぼし得る。ディスク２及びベース５に対するレンズホルダ４の運動は、ディスク２におけるデータトラック上の正確な点に対してレーザ光を集束するよう使用される。レンズ３とディスク２との間の距離は、（例えばブルーレイレーザが使用される際は）典型的には１５０μｍであり、懸架されたレンズホルダ４のストロークは、典型的には１ｍｍ乃至２ｍｍである。それに故に、例えばショックによって引き起こされてピックアップユニット１に与えられる外的機械力又はパルスは、レンズ（ホルダ）３，４とディスク２との間での所望しない衝突をもたらし得る。
【００１７】
図１を参照すると、ピックアップユニット１の第１の実施例は、レンズホルダ４を不作動位置へと引き込むよう適合されたプルバック装置６を備えられる。不作動位置において、レンズホルダ４は、ディスク２から安全な距離に位置付けられ、レンズ（ホルダ）４とレンズ３との間の衝突は、効果的に避けられる。図中、不作動位置は、点線によって示される。プルバック装置６は、例えばワイヤ部材である細長い形状を有する２つの第１のプルバック部材７、各々レンズホルダ上の咬合面の形状である２つの第２の咬合部材８、及び、プルバックアクチュエータとしての２つのソレノイドを有する。第１及び第２の咬合部材７，８及びプルバックアクチュエータ９は、レンズホルダ４の対向する側部上に位置付けられる。図１中に図示する通り、各第１のプルバック部材７は、一端にフック部１０を備えられる。第１のプルバック部材７は、レンズホルダ４に対面するフック部１０を有して、レンズ３の集束方向に対して略平行である方向に置いてベース部５を介して可動である。各第１のプルバック部材７は、２つのプルバックアクチュエータ９のうち一方に対して接続され、プルバックアクチュエータ９は、ベース部５に対して取り付けられる。このようにして、プルバックアクチュエータ９は、電流等の起動信号を与えられる際に第１のプルバック部材９を動かすよう適合される。
【００１８】
図１を参照すると、第２の咬合部材８を形成する咬合面は、レンズ３の集束方向に対して略垂直である方向においてレンズホルダ４上に形成される。第１のプルバック部材７のフック部１０及び第２の咬合部材８を形成する咬合面は、ベース部に向かう第１のプルバック部材７の運動中に自動的に咬合するよう位置付けられる。
【００１９】
図１を参照すると、第１のプルバック部材７とプルバックアクチュエータ９は、そのストロークが点線によって示される不作動位置へとレンズホルダ４を引き寄せるよう十分であるよう寸法を取られる。第１のプルバック部材７がその所定の位置に戻るよう、第１のプルバック部材７は、各々、プルバック７とベース部５との間で作用するスプリング等の復帰部材１１を備えられる。このようにして、プルバックアクチュエータ９は、レンズホルダ４がその不作動位置へと引き寄せられるべき際に起動する必要があるのみである。専用のプルバックアクチュエータ９がピックアップユニット１のベース部５から作用するため、該アクチュエータは、レンズホルダ１上に作用し得る外的力又はパルスを克服するのに十分に強力であるよう、並びに、ディスク２との衝突を効果的に避けるためにレンズホルダ４をディスク２から引離すのに十分迅速であるよう、寸法を取られ得る。
【００２０】
図１を参照すると、ピックアップユニットの第１の実施例は、ロッキング装置１２を備えられる。該装置は、ワイヤ等の細長い形状を有する２つの第１のロッキング部材１３、各々がレンズホルダ４のロッキング面の形状である２つの第２のロッキング部材１４、及び、ロッキングアクチュエータ１５としての２つのソレノイドを有する。第１及び第２のロッキング部材１３，１４及びロッキングアクチュエータ１５は、レンズホルダ４の対向する側部上に位置付けられる。第１のロッキング部材１３は、レンズ３の集束方向に対して略垂直である方向においてベース部５を介して可動である。各第１のロッキング部材１３は、２つのロッキングアクチュエータ１５のうち一方に対して接続され、ロッキングアクチュエータ１５は、ベース部５に対して取り付けられる。このようにして、ロッキングアクチュエータ１５は、電流の形状で起動信号を与えられる際に、レンズホルダ４に向かって第１のロッキング部材１３を動かすよう適合される。
【００２１】
図１を参照すると、第２のロッキング部材１４を形成するロッキング面は、レンズホルダ４における凹部１６によって形成され、第２のロッキング部材１４を形成するロッキング面は、少なくとも部分的にレンズ３の集束方向に対して略垂直である方向において延びる。各第１のロッキング部材１３及び各第２のロッキング部材１４を形成するロッキング面は、第１のロッキング部材１３がレンズホルダ４において動かされ、レンズホルダ４が図中点線で示される不作動位置にある際、互いに対して咬合するよう位置付けられる。
【００２２】
図１中に図示する通り、第１のロッキング部材１３は、一端でＵ字型のフック部１７を各々備えられ、各第１のロッキング部材１３のフック部１７は、レンズホルダ４に対面する。第２のロッキング部材１４を形成するレンズホルダ４における凹部は各々、フック型の固定部１８を更に備えられる。固定部１８は、第２のロッキング部材１４を形成する凹部と咬合する際、第１のロッキング部材１３のフック部１７を一致するよう適合され、フック部１７及び固定部１８は、第１及び第２のロッキング部材１３、１４の咬合を固定するよう適合された固定部材を形成する。ロッキング装置１２は、ロッキングアクチュエータ１５の方向において第１のロッキング部材１３を引くよう、スプリング等の復帰部材１９を備えられ得る。このようにして、ロッキングアクチュエータ１５は、第１のロッキング部材１３が第２のロッキング部材１４と咬合するようにされる際に動力を供給される必要があるのみであり、第１のロッキング部材１３のＵ字型フック部１７及び凹部のフック型固定部１８は、復帰部材１９によって与えられた復帰力によって咬合状態に維持される。
【００２３】
図２を参照すると、ピックアップユニットの第２の実施例は、ロッキング装置１２’を備えられる。該装置は、ワイヤ部材等の細長い形状を有する２つの第１のロッキング部材１３’、各々レンズホルダ４上でロッキング面の形状である２つの第２のロッキング部材１４’、及び、ロッキングアクチュエータ１５’としての２つのリニアモータを有する。第１及び第２のロッキング部材１３’，１４’及びロッキングアクチュエータ１５’は、レンズホルダ４の対抗する側部上に位置付けられる。第１のロッキング部材１３’は、レンズ３の集束方向に対して略垂直である方向においてベース部５を介して可動である。各第１のロッキング部材１３’は、２つのロッキングアクチュエータ１５’のうち一方に対して接続され、ロッキングアクチュエータ１５’は、ベース部５に対して取り付けられる。このようにして、ロッキングアクチュエータ１５は、電流の形状である起動信号を与えられる際、第１のロッキング部材１３’を動かすよう適合される。
【００２４】
図２を参照すると、第２のロッキング部材１４’を形成するロッキング面は、レンズホルダ４における凹部１６’によって形成され、該ロッキング面は、少なくとも部分的にレンズ２の集束方向に対して略平行である方向において延びる。各第１のロッキング部材１３’及び第２のロッキング部材１４’を形成する各ロッキング面は、第１のロッキング部材１３’がレンズホルダ４へと動かされ、レンズホルダ４が図中点線で示される不作動位置にある際に互いに対して咬合するよう、位置付けられる。図２中示す通り、第１のロッキング部材１３’は、各々一端でＬ字型のフック部１７’を備えられ、各ロッキング部材１３’のフック部１７’は、レンズホルダ４に対面する。ロッキング面を形成するレンズホルダ４における凹部１６’の各々は、凹部１６’内部で軸方向に延びる固定面２０を形成する固定部１８’を更に備えられる。固定面２０は、凹部１６’と咬合している際、第１のロッキング部材１３’のフック部１７’と一致するよう適合され、フック部１７’及び固定部１７’は、第１及び第２のロッキング部材１３’，１４’の咬合を固定するよう適合された固定部材を形成する。このようにして、ロッキングアクチュエータ１５’は、第１のロッキング部材１３’が第２のロッキング部材１４’と咬合されるべき際又は第２のロッキング部材１４’から解放される際に動力を与えられる必要があるのみである。
【００２５】
ピックアップユニットを制御するよう、本発明に従ったピックアップユニット１を備えられたディスクドライブは、ロッキング装置１２，１２’及びプルバック装置６のアクチュエータ９，１５，１５’及び集束アクチュエータに対して接続される制御回路を有する。制御回路は、少なくとも２つの機能を有する。該回路は、第１に、ディスク２の読取り及び／又は書込み中にプルバック状態が検出される際にプルバックアクチュエータ９に対して起動信号を与えるよう配置され、第２に、ディスク２上で読み取られる及び／又は書き込まれるデータがない際にレンズホルダ４をロックするよう、集束アクチュエータ及び／又はプルバックアクチュエータ９、及びロッキングアクチュエータ１５，１５’に対して起動信号を与えるよう配置される。
【００２６】
制御ユニットの第１の機能によれば、制御ユニットは、強い外的機械力又はパルスを与えられた際に制御回路に対して信号を与えるよう適合された、衝撃センサを有する。代替として、制御ユニットは、ディスク２からの読取り及び／又はディスク２への書込みを監視するよう適合される。続いてプルバック状態は、ディスク２の読取り中及び／又は書き込み中に障害（ｄｉｓｔｕｒｂａｎｃｅｓ）から生じ得る。これは、例えば、読取り部材及び／又は書込み部材によって検出されたディスク２に向かう又はディスク２から離れるレンズ３の予期されない運動によるもの、又は、ディスク２上の１つ又はそれ以上のデータトラックの間での予期されないジャンプによるものである。このようにして、レンズ（ホルダ）３，４とディスク２との間の衝突は、レンズホルダ４が不作動位置に引き寄せられるため避けられ、プルバックアクチュエータ９は、プルバック状態がある限り起動されたままであり得る。
【００２７】
制御ユニットの第２の機能によれば、制御ユニットは、ディスクドライブユニットによって実行されるべき読取りシーケンス及び／又は書込みシーケンスに対する必要性を画定するよう適合される。言い換えれば、ディスク２が回転している間の読取り及び／又は書込みバースト（ｂｕｒｓｔ）の間等で、読取り部材及び／又は書込み部材のスイッチが切られている際、ディスクドライブモータのスイッチが切られている際、あるいは、完全なディスクドライブユニットのスイッチが切られている際に、レンズホルダ４がロックされる必要がある状態を確定するよう適合される。レンズホルダ４がロックされる必要がある際、ロッキングシーケンスは、制御ユニットによって実行され、起動信号は、不作動位置を僅かに超えてレンズホルダ４を動かすよう集束アクチュエータ又はプルバックアクチュエータ９に対して与えられ、続いて、起動信号は、第１のロッキング部材１３，１３’を夫々凹部１６，１６’へと挿入するようロッキングアクチュエータ１５，１５’に与えられる。その後、集束アクチュエータ又はプルバックアクチュエータ９は、サスペンションがレンズホルダ４をその静止位置へ戻すよう動かそうとするため、第１のロッキング部材１３，１３’が第２のロッキング部材１４，１４’を形成する夫々のロッキング面と咬合するように停止され得る。最後に、ロッキングアクチュエータ１５，１５’が停止され、レンズホルダ４は、第１のロッキング部材１３，１３’と第２のロッキング部材１４，１４’を形成する咬合面との咬合により、その不作動位置においてロックされたままである。ロッキングシーケンスの第１の段階中にレンズホルダ４は、第１のロッキング部材１３，１３’でのフック部１７，１７’が第２のロッキング部材１４，１４’を形成するロッキング面を通り得るよう、不作動位置を僅かに越えて動かされる。レンズホルダがロックを解除される必要がある際、上述されたシーケンスは逆順に実行さる。該逆順は、第２の望ましい実施例のリニアモータ１５’が第１のロッキング部材１３’をベース部に向かって引くようにのみ起動信号を与えられる必要がある点において、ピックアップユニット１の第１の実施例と第２の実施例との間で異なる。
【００２８】
制御ユニットの２つの機能は、例えばレンズホルダ４をその不作動位置においてロックするよう強い外部機械力又はパルスに対する露出が所定の時間を越える際に、有利に組み合され得る。
【００２９】
前述された説明から、本発明に従ったピックアップユニット１は、ピックアップユニット１が外部機械力又はパルスに露出される際にレンズ（ホルダ）３，４とディスク２との間の衝突を防ぐよう適合されたロッキング装置１２，１２’及び／又はプルバック装置９を有し、第２のプルバック部材８及び第２のロッキング部材１４，１４’が、レンズホルダ４におけるスロット又は凹部１６，１６’を用いて形成されるため、懸架されたレンズホルダ４のマス及び動的性質は、プルバック装置９及び／又はロッキング装置１２，１２’の存在から影響をほとんど受けない。
【００３０】
本発明は、図中に示される通り上述された実施例に制限されず、本発明の範囲から逸脱することなく複数の手法において変化され得る。
【００３１】
全体的に本願中、「有する」という表現は他の要素を除外せず、単数形の記載は複数を除外するものではない、ことが留意される。単一のプロセッサ又はユニットは、添付の請求項において複数の要素の機能を満たし得る。請求項中の参照符号は、その範囲を制限するものとして解釈されるべきではない。
【図面の簡単な説明】
【００３２】
【図１】本発明に従ったディスクドライブの第１の望ましい実施例を概略的に図示する側部断面図である。
【図２】本発明に従ったディスクドライブの第２の望ましい実施例を概略的に図示する側部断面図である。
【図１】
2007512644.tif 000003
【図２】
2007512644.tif 000004
【国際調査報告】
2007512644.tif 000005
2007512644.tif 000006
2007512644.tif 000007